(57)【特許請求の範囲】
【請求項１】
直流電圧を生成して測定対象体に印加すると共に、当該測定対象体の絶縁抵抗が所定値以上のときには前記直流電圧を一定とする定電圧制御を実行し、当該絶縁抵抗が当該所定値未満のときには当該直流電圧の印加に応じて当該測定対象体に流れる負荷電流を一定とする定電流制御を実行する電圧生成部と、
前記直流電圧を検出して検出電圧として出力する電圧検出部と、
少なくとも前記負荷電流の電流値に基づいて前記測定対象体の前記絶縁抵抗に応じて電圧が変化する測定電圧を出力する増幅部とを備えた絶縁抵抗計であって、
前記測定対象体における前記直流電圧が印加される端部以外の他の端部と基準電位との間に接続されて前記負荷電流に比例した電圧を両端間に発生させる電流検出抵抗と、
前記電流検出抵抗の両端間電圧に含まれている高周波成分を除去すると共に当該高周波成分が除去された当該両端間電圧を出力するフィルタ部と、
前記フィルタ部から出力される前記両端間電圧に比例して電流値が変化する電流を生成する電圧電流変換部とを備え、
前記増幅部は、前記電圧電流変換部から出力される前記電流を前記負荷電流として前記測定電圧を出力する絶縁抵抗計。
【請求項２】
前記測定電圧を表示する表示部を備えている請求項１記載の絶縁抵抗計。
【請求項３】
前記増幅部は対数アンプとして構成され、
前記電圧電流変換部は、１つの演算増幅器、当該演算増幅器の反転入力端子と前記基準電位との間に接続された第１入力抵抗、当該演算増幅器の出力端子と当該反転入力端子との間に接続された第１帰還抵抗、当該演算増幅器の非反転入力端子と前記フィルタ部との間に接続された第２入力抵抗、当該出力端子と当該非反転入力端子との間に直列接続された第２帰還抵抗および第３帰還抵抗、並びに当該第２帰還抵抗および当該第３帰還抵抗の接続点と前記基準電位との間に接続された出力抵抗を備え、前記第１入力抵抗の抵抗値に対する前記第１帰還抵抗の抵抗値の比率と、前記第２入力抵抗の抵抗値に対する前記第２帰還抵抗および前記第３帰還抵抗の各抵抗値の合計の比率とが同一に規定されると共に前記出力抵抗を介して前記増幅部に前記電流を出力する請求項１または２記載の絶縁抵抗計。
【発明の詳細な説明】
【技術分野】
【０００１】
本発明は、測定対象体に直流電圧を印加してその絶縁抵抗を測定する絶縁抵抗計に関するものである。
【背景技術】
【０００２】
この種の絶縁抵抗計として、本願出願人は、特開平１０−１１１３２７号公報に開示された絶縁抵抗計を提案している。この絶縁抵抗計の概要を図２を参照して説明する。この絶縁抵抗計５１は、電池１１の電池電圧を昇圧して高電圧を生成する高電圧生成部２（以下、「電圧生成部２」ともいう）、分圧抵抗３（以下、「電圧分圧部３」ともいう）、交流成分除去用コンデンサ５２（以下、「コンデンサ５２」ともいう）、電圧電流変換部４（以下、「Ｖ／Ｉ変換部４」ともいう）、電流検出抵抗５、対数増幅回路８、およびメータ９を備えて構成されている。この絶縁抵抗計５１では、電圧生成部２が直流電圧Ｖ１を生成して測定用端子Ｔ１に出力する。次いで、測定対象体１０に一対の測定用端子Ｔ１，Ｔ２を接続したときに、この測定対象体１０に直流電圧Ｖ１が印加される。この状態において、Ｖ／Ｉ変換部４は、分圧抵抗３が直流電圧Ｖ１を分圧することによって得られた検出電圧Ｖｄを、検出電圧Ｖｄに応じて変化する基準電流ＩＲに変換する。また、対数増幅回路８は、この基準電流ＩＲと測定対象体１０に流れる負荷電流ＩＬとに基づき、下記の式に従って、メータ指示用電圧ＶＭを生成してメータ９に出力する。
ＶＭ＝Ｋ×Ｌｏｇ（ＩＬ／ＩＲ）
この場合、値Ｋは、所定の係数を意味する。
メータ９は、入力したメータ指示用電圧ＶＭに応じた目盛の位置に指針を振らせる。これにより、絶縁抵抗計５１によって測定対象体１０の抵抗値（絶縁抵抗）Ｒｘが測定される。この絶縁抵抗計５１では、負荷電流ＩＬの流れる経路に配設されているコンデンサ５２が、負荷電流ＩＬに重畳されているトランジスタ１３のスイッチングノイズや漏れ込んだ商用電源の商用周波数成分を除去する。これにより、測定精度の向上が図られている。
【０００３】
また、絶縁抵抗計５１では、電圧生成部２は、電池１１、トランス１２、トランジスタ１３、ＰＷＭ回路１４、選択回路１５および整流回路１６を備えて、ＰＷＭ方式のコンバータに構成されて、電池１１をスイッチングによって直流電圧Ｖ１に昇圧して出力する。この場合、例えば、測定対象体１０の抵抗値が所定値（一例として０．５ＭΩ）以上のときには、負荷電流ＩＬが流れることによって電流検出抵抗５の両端間に発生する両端間電圧Ｖ２よりも電圧分圧部３が直流電圧Ｖ１を分圧して生成する検出電圧Ｖｄの方が高くなり、検出電圧Ｖｄが選択回路１５を介してＰＷＭ回路１４に出力される。このため、この状態においては、電圧生成部２は、検出電圧Ｖｄに基づいて、直流電圧Ｖ１を一定の電圧値に制御する定電圧制御を実行する。一方、電圧生成部２は、測定対象体１０の抵抗値が所定値（一例として０．５ＭΩ）未満のときには、両端間電圧Ｖ２の方が検出電圧Ｖｄよりも高くなり、両端間電圧Ｖ２が選択回路１５を介してＰＷＭ回路１４に出力される。このため、この状態においては、電圧生成部２は、両端間電圧Ｖ２に基づいて、負荷電流ＩＬを一定の電流値に制御する定電流制御を実行する。
【特許文献１】特開平１０−１１１３２７号公報（第４−７頁、第１図）
【発明の開示】
【発明が解決しようとする課題】
【０００４】
ところが、上記の絶縁抵抗計５１には、以下の改善すべき課題が存在している。すなわち、この絶縁抵抗計では、両端間電圧Ｖ２に基づいて測定対象体１０を流れる負荷電流ＩＬを一定の電流値に制御する定電流制御が実行されており、また、その実行時において形成されるフィードバックループ内にノイズ除去用のコンデンサ５２が配設されている。この場合、コンデンサ５２はフィードバックループの応答を遅れさせる要素となるため、抵抗値Ｒｘが大きい（つまり絶縁抵抗が良好な）測定対象体１０の絶縁抵抗を測定するときには十分正確に測定することができる。一方、絶縁抵抗が劣化するなどして抵抗値Ｒｘが小くなった測定対象体１０の絶縁抵抗を測定するときには、その測定対象体１０に一対の測定用端子Ｔ１，Ｔ２を接続した際に、一対の測定用端子Ｔ１，Ｔ２間の抵抗値が無限大の大きさから急激に小さな抵抗値に変動する。このため、このような測定対象体１０の絶縁抵抗を測定するときには、フィードバックループの応答速度がその変動に追いつかない可能性があり、測定対象体１０の絶縁抵抗を正確に測定できないおそれがある。このため、この点の改善が望まれている。
【０００５】
本発明は、かかる課題を解決すべくなされたものであり、ノイズの影響を十分に低減しつつ、低抵抗値の測定対象体に対する絶縁抵抗測定を正確に行い得る絶縁抵抗計を提供することを主目的とする。
【課題を解決するための手段】
【０００６】
上記目的を達成すべく請求項１記載の絶縁抵抗計は、直流電圧を生成して測定対象体に印加すると共に、当該測定対象体の絶縁抵抗が所定値以上のときには前記直流電圧を一定とする定電圧制御を実行し、当該絶縁抵抗が当該所定値未満のときには当該直流電圧の印加に応じて当該測定対象体に流れる負荷電流を一定とする定電流制御を実行する電圧生成部と、前記直流電圧を検出して検出電圧として出力する電圧検出部と、少なくとも前記負荷電流の電流値に基づいて前記測定対象体の前記絶縁抵抗に応じて電圧が変化する測定電圧を出力する増幅部とを備えた絶縁抵抗計であって、前記測定対象体における前記直流電圧が印加される端部以外の他の端部と基準電位との間に接続されて前記負荷電流に比例した電圧を両端間に発生させる電流検出抵抗と、前記電流検出抵抗の両端間電圧に含まれている高周波成分を除去すると共に当該高周波成分が除去された当該両端間電圧を出力するフィルタ部と、前記フィルタ部から出力される前記両端間電圧に比例して電流値が変化する電流を生成する電圧電流変換部とを備え、前記増幅部は、前記電圧電流変換部から出力される前記電流を前記負荷電流として前記測定電圧を出力する。
【０００７】
また、請求項２記載の絶縁抵抗計は、請求項１記載の絶縁抵抗計において、前記測定電圧を表示する表示部を備えている。
【０００８】
また、請求項３記載の絶縁抵抗計は、請求項１または２記載の絶縁抵抗計において、前記増幅部は対数アンプとして構成され、前記電圧電流変換部は、１つの演算増幅器、当該演算増幅器の反転入力端子と前記基準電位との間に接続された第１入力抵抗、当該演算増幅器の出力端子と当該反転入力端子との間に接続された第１帰還抵抗、当該演算増幅器の非反転入力端子と前記フィルタ部との間に接続された第２入力抵抗、当該出力端子と当該非反転入力端子との間に直列接続された第２帰還抵抗および第３帰還抵抗、並びに当該第２帰還抵抗および当該第３帰還抵抗の接続点と前記基準電位との間に接続された出力抵抗を備え、前記第１入力抵抗の抵抗値に対する前記第１帰還抵抗の抵抗値の比率と、前記第２入力抵抗の抵抗値に対する前記第２帰還抵抗および前記第３帰還抵抗の各抵抗値の合計の比率とが同一に規定されると共に前記出力抵抗を介して前記増幅部に前記電流を出力する。
【発明の効果】
【０００９】
請求項１記載の絶縁抵抗計では、負荷電流の電流値に電圧値が比例する電圧を両端間に発生させる電流検出抵抗の後段にフィルタ部が配置されて、定電流制御の実行時におけるフィードバックループ内にノイズ除去用のコンデンサが配置されていない構成となっている。したがって、この絶縁抵抗計によれば、電圧生成部の定電流制御時におけるフィードバックループの応答速度を向上させることができるため、低抵抗値の測定対象体の絶縁抵抗を測定する際に、一対の測定用端子間の抵抗値が無限大の大きさから急激に小さな抵抗値に変動したとしても、その変動に対応して電流検出抵抗の両端間に発生する両端間電圧も迅速に変動する。この結果、電圧電流変換部から出力される電流（両端間電圧に比例して電流値が変化する電流）に基づいて測定電圧を出力する増幅部においても、一対の測定用端子間の抵抗値の急激な変動（つまり測定対象体１０の抵抗値）に迅速かつ正確に追従する測定電圧を出力することができる。したがって、低抵抗値の測定対象体に対する絶縁抵抗測定を正確に行うことができる。また、フィルタ部が配設されているため、生成される測定電圧に対するノイズの影響も十分に低減することができる。
【００１０】
また、請求項２記載の絶縁抵抗計によれば、測定電圧を表示部に表示させるようにしたことにより、測定対象体の絶縁抵抗を目視によって簡易かつ容易に確認することができる。
【００１１】
また、請求項３記載の絶縁抵抗計によれば、増幅部を対数アンプとして構成し、電圧電流変換部を演算増幅器および６本の抵抗を用いて上記のように構成して両端間電圧を電流に変換するようにしたことにより、出力抵抗の精度に影響を受けることなく、両端間電圧の電圧値に電流値が比例する電流を生成して対数アンプに出力することができるため、対数アンプから出力される測定電圧の精度を向上させることができる。
【発明を実施するための最良の形態】
【００１２】
以下、添付図面を参照して、本発明に係る絶縁抵抗計の最良の形態について説明する。
【００１３】
最初に、絶縁抵抗計１の構成について、図面を参照して説明する。
【００１４】
絶縁抵抗計１は、図１に示すように、電圧生成部２、電圧分圧部３、第１電圧電流変換部４（以下、「Ｖ／Ｉ変換部４」ともいう）、電流検出抵抗５、フィルタ部６、第２電圧電流変換部７（以下、「Ｖ／Ｉ変換部７」ともいう）、対数増幅回路８およびメータ９を備え、一対の測定用端子Ｔ１，Ｔ２に接続された測定対象体１０の抵抗値Ｒｘを測定可能に構成されている。
【００１５】
電圧生成部２は、図１に示すように、電池１１、電池１１から供給される電圧をスイッチングによって昇圧するためのトランス１２、スイッチング用のトランジスタ１３、トランジスタ１３のスイッチング動作（ＯＮ／ＯＦＦ動作）を制御するＰＷＭ回路１４、選択回路１５および整流回路１６を備え、測定対象体１０に印加するための直流電圧Ｖ１を生成すると共に、測定用端子Ｔ１を介して出力する。選択回路１５は、一例として、１つの抵抗と１つのダイオードと１つのオペアンプとでそれぞれ同一に構成された２つのダイオード回路（いわゆる理想ダイオード回路）１５ａ，１５ｂを備え、ダイオード回路１５ａ，１５ｂの各出力端子がＰＷＭ回路１４の共通の入力端子に接続されている。また、ダイオード回路１５ａの入力端子は電圧分圧部３に接続されて、ダイオード回路１５ａには、電圧分圧部３から出力される検出電圧Ｖｄ（直流電圧Ｖ１が電圧分圧部３で分圧されることによって生成された電圧）が入力される。一方、ダイオード回路１５ｂの入力端子は測定用端子Ｔ２（すなわち、測定対象体１０における直流電圧Ｖ１が印加される端部以外の他の端部）と接続されて、ダイオード回路１５ｂには、電流検出抵抗５の両端間に発生する電圧（両端間電圧）Ｖ２が入力される。したがって、選択回路１５は、検出電圧Ｖｄおよび両端間電圧Ｖ２のうちの電圧値の高い方を選択的にＰＷＭ回路１４に出力する。
【００１６】
ＰＷＭ回路１４は、選択回路１５から出力される検出電圧Ｖｄまたは両端間電圧Ｖ２が所定電圧となるようにトランジスタ１３のスイッチング動作を制御する。具体的には、ＰＷＭ回路１４は、トランジスタ１３へ出力する駆動パルスＳ１のデューティ比を制御することにより、トランジスタ１３のスイッチング動作を制御する。したがって、選択回路１５から検出電圧Ｖｄが出力されているときには、ＰＷＭ回路１４は、上記の制御動作を実行することにより、直流電圧Ｖ１を一定の電圧値にする定電圧制御を実行する。一方、選択回路１５から両端間電圧Ｖ２が出力されているときには、ＰＷＭ回路１４は、両端間電圧Ｖ２を一定の電圧値にする、つまり、直流電圧Ｖ１の印加に応じて測定対象体１０に流れる負荷電流ＩＬを一定の電流値とする定電流制御を実行する。
【００１７】
電圧分圧部３は、本発明における電圧検出部の一例であって、直列接続された複数の抵抗を備えて構成されて、直流電圧Ｖ１を所定の分圧比で分圧して検出電圧Ｖｄとして出力する。また、電圧分圧部３の分圧比および電流検出抵抗５の抵抗値は、一例として、測定対象体１０の抵抗値Ｒｘが所定値（一例として０．５ＭΩ）以上のときに検出電圧Ｖｄが両端間電圧Ｖ２以上となり、測定対象体１０の抵抗値Ｒｘが所定値（０．５ＭΩ）未満のときに検出電圧Ｖｄが両端間電圧Ｖ２未満となるようにそれぞれ規定されている。
【００１８】
Ｖ／Ｉ変換部４は、一例として、図１に示すように、ボルテージフォロワに形成された１つのオペアンプ４ａ、およびその出力端子に直列に接続された抵抗４ｂで構成されて、対数増幅回路８の後述するオペアンプ（演算増幅器）２２と相俟って、検出電圧Ｖｄに比例して変化する基準電流ＩＲを生成して対数増幅回路８に出力する。電流検出抵抗５は、測定用端子Ｔ２と基準電位（本例では一例としてグランド電位）との間に配設されている。本例では、後述するように、オペアンプで構成されたＶ／Ｉ変換部７の入力インピーダンスが極めて高いため、直流電圧Ｖ１の印加に起因して測定対象体１０に流れる負荷電流ＩＬの殆どは、電流検出抵抗５を介して基準電位に流れ込む。このため、電流検出抵抗５は、その両端間に負荷電流ＩＬに比例した電圧（電圧値Ｖ２）を発生させる。フィルタ部６は、一例として１本の抵抗とコンデンサとを備えて、ＲＣフィルタ（低域通過型フィルタ）として構成されている。また、フィルタ部６は、負荷電流ＩＬに重畳されているトランジスタ１３のスイッチングノイズや、商用電源から漏れ込む商用周波数のノイズを除去する。
【００１９】
Ｖ／Ｉ変換部７は、本発明における電圧電流変換部であって、図１に示すように、１つのオペアンプ（本発明における演算増幅器）７ａおよび６本の抵抗７ｂ〜７ｇを備えて構成されている。具体的には、抵抗７ｂ（本発明における第１入力抵抗）は、オペアンプ７ａの反転入力端子と基準電位（グランド電位）との間に接続され、抵抗７ｃ（本発明における第１帰還抵抗）は、オペアンプ７ａの出力端子と反転入力端子との間に接続されている。抵抗７ｄ（本発明における第２入力抵抗）は、オペアンプ７ａの非反転入力端子とフィルタ部６との間に接続され、抵抗７ｅ（本発明における第２帰還抵抗）および抵抗７ｆ（本発明における第３帰還抵抗）は互いに直列接続された状態で、オペアンプ７ａの出力端子と非反転入力端子との間に接続されている。本例では、抵抗７ｅがオペアンプ７ａの出力端子に接続されている。抵抗７ｇは、抵抗７ｅ，７ｆの接続点と基準電位との間に接続されている。本例では、抵抗７ｇは、同図に示すように、対数増幅回路８の後述するオペアンプ（演算増幅器）２１の反転入力端子に接続されて、このオペアンプ２１のバーチャルショートにより、基準電位に接続されている。さらに、Ｖ／Ｉ変換部７は、抵抗７ｂの抵抗値に対する抵抗７ｃの抵抗値の比率と、抵抗７ｄの抵抗値に対する抵抗７ｅ，７ｆの各抵抗値の合計の比率が同一に規定されている。また、Ｖ／Ｉ変換部７は、抵抗７ｇを除く構成での出力抵抗が抵抗７ｇよりも十分に大きくなるように規定されている。この構成により、Ｖ／Ｉ変換部７は、入力した両端間電圧Ｖ２（具体的には、フィルタ部６でノイズが除去された両端間電圧Ｖ２）の電圧値に比例して電流値が変化する電流ＩＬ１を抵抗７ｇを介して対数増幅回路８に出力する。この電流ＩＬ１は、両端間電圧Ｖ２の大きさと負荷電流ＩＬの大きさとが比例関係にあるため、負荷電流ＩＬ、さらには両端間電圧Ｖ２と互いに比例関係にある。したがって、この電流ＩＬ１は、負荷電流ＩＬと等価の関係となる。
【００２０】
対数増幅回路（本発明における対数アンプ）８は、本発明における増幅部の一例であって、２つのオペアンプ２１，２２、共に同一特性でＮＰＮ型の２つのトランジスタ２３，２４、および抵抗２５，２６を備えている。この対数増幅回路８では、トランジスタ２３，２４のＰＮ接合の順方向特性における非線形な電圧−電流特性を利用して測定対象体１０の抵抗値Ｒｘを対数的に指示するためのメータ指示用電圧（本発明における測定電圧）ＶＭを生成する。具体的には、対数増幅回路８は、Ｖ／Ｉ変換部７を介して入力した電流ＩＬ１と、Ｖ／Ｉ変換部４から入力した基準電流ＩＲとに基づいて、下記の式に従って、メータ指示用電圧ＶＭ（本発明における測定電圧）を生成してメータ９に出力する。
ＶＭ＝Ｋ×Ｌｏｇ（ＩＬ１／ＩＲ）
この場合、値Ｋは、所定の係数を意味する。
メータ９は、本発明における表示部の一例であって、入力したメータ指示用電圧ＶＭに応じた目盛の位置に指針を振らせる。
【００２１】
次に、絶縁抵抗計１の動作について説明する。
【００２２】
図１に示すように、一対の測定用端子Ｔ１，Ｔ２間に測定対象体１０が接続された状態において、絶縁抵抗計１の作動時には、電圧生成部２が、直流電圧Ｖ１を生成して、測定用端子Ｔ１を介して測定対象体１０の一端に印加する。また、電圧分圧部３は、この直流電圧Ｖ１を分圧して、検出電圧Ｖｄとして選択回路１５およびＶ／Ｉ変換部４に出力する。また、直流電圧Ｖ１の印加により、負荷電流ＩＬが、測定対象体１０、測定用端子Ｔ２および電流検出抵抗５を介してグランド電位に流れる。このため、電流検出抵抗５の両端間には両端間電圧Ｖ２が発生し、この両端間電圧Ｖ２は選択回路１５に出力される。
【００２３】
この状態において、上記したように、測定対象体１０の抵抗値Ｒｘが０．５ＭΩ以上のときには、検出電圧Ｖｄが両端間電圧Ｖ２以上となる。このため、選択回路１５が検出電圧ＶｄをＰＷＭ回路１４に出力し、ＰＷＭ回路１４は、直流電圧Ｖ１を一定の電圧値にする定電圧制御を実行する。一方、測定対象体１０の抵抗値Ｒｘが０．５ＭΩ未満のときには、検出電圧Ｖｄが両端間電圧Ｖ２未満となる。このため、選択回路１５が両端間電圧Ｖ２をＰＷＭ回路１４に出力し、ＰＷＭ回路１４は、両端間電圧Ｖ２を一定の電圧値にすることにより、負荷電流ＩＬを一定の電流値にする定電流制御を実行する。また、電圧生成部２では、この定電圧制御および定電流制御のいずれの制御状態においても、フィードバックループ内にコンデンサが配置されていない構成のため、フィードバックループの応答速度の向上が図られている。したがって、例えば、抵抗値Ｒｘが小くなった測定対象体１０に一対の測定用端子Ｔ１，Ｔ２を接続した際に、一対の測定用端子Ｔ１，Ｔ２間の抵抗値が無限大の大きさから急激に小さな抵抗値に変動する場合においても、定電圧制御のときには直流電圧Ｖ１がほぼ一定に維持され、また定電流制御のときには負荷電流ＩＬがほぼ一定に維持される。
【００２４】
また、このようにして電圧生成部２から測定対象体１０に直流電圧Ｖ１が印加されている状態において、Ｖ／Ｉ変換部４は、検出電圧Ｖｄに比例して電流値が変化する基準電流ＩＲを生成して対数増幅回路８に出力する。具体的には、Ｖ／Ｉ変換部４では、オペアンプ４ａが検出電圧Ｖｄを入力して低インピーダンスで出力する。この場合、オペアンプ４ａの出力端子に接続された抵抗４ｂは、対数増幅回路８内のオペアンプ２２の反転入力端子に接続されて、バーチャルショートによって等価的にグランド電位に接続されている。このため、抵抗４ｂには、検出電圧Ｖｄに電流値が比例する基準電流ＩＲが流れ、この基準電流ＩＲが対数増幅回路８に出力される。
【００２５】
また、フィルタ部６は、両端間電圧Ｖ２に含まれているノイズを除去してＶ／Ｉ変換部７に出力する。Ｖ／Ｉ変換部７は、入力した両端間電圧Ｖ２に電流値が比例する電流ＩＬ１を生成して、対数増幅回路８に出力する。対数増幅回路８は、入力される電流ＩＬ１および基準電流ＩＲに基づいてメータ指示用電圧ＶＭを生成してメータ９に出力し、メータ９は、入力したメータ指示用電圧ＶＭに応じた目盛の位置に指針を振らせる。これにより、測定対象体１０の抵抗値Ｒｘがメータ９に対数的に指示される。
【００２６】
このように、この絶縁抵抗計１では、負荷電流ＩＬの電流値に電圧値が比例する両端間電圧Ｖ２を発生させる電流検出抵抗５の後段に、ＲＣフィルタ（低域通過型フィルタ）として構成されたフィルタ部６が配置されて、定電流制御の実行時におけるフィードバックループ内にも、定電圧制御の実行時におけるフィードバックループと同様にしてコンデンサが配置されていない構成となっている。したがって、この絶縁抵抗計１によれば、電圧生成部２の定電流制御時におけるフィードバックループの応答速度を向上させることができるため、抵抗値Ｒｘが小くなった測定対象体１０の絶縁抵抗を測定する場合、その測定対象体１０に一対の測定用端子Ｔ１，Ｔ２を接続した際にその一対の測定用端子Ｔ１，Ｔ２間の抵抗値が急激に変動したとしても、その変動に対応して電流検出抵抗５の両端間電圧Ｖ２も迅速に変動する結果、対数増幅回路８においても、一対の測定用端子Ｔ１，Ｔ２間の抵抗値の急激な変動（つまり測定対象体１０の抵抗値）に迅速かつ正確に追従するメータ指示用電圧ＶＭを生成することができる。したがって、低抵抗値の測定対象体１０に対する絶縁抵抗測定を正確に行うことができる。また、フィルタ部６が配設されているため、生成されるメータ指示用電圧ＶＭに対するノイズの影響も十分に低減することができる。
【００２７】
また、この絶縁抵抗計１によれば、測定電圧としてのメータ指示用電圧ＶＭを表示部としてのメータ９に指示（表示）させることにより、測定対象体１０の抵抗値Ｒｘを目視によって簡易かつ容易に確認することができる。
【００２８】
さらに、この絶縁抵抗計１によれば、電圧電流変換部としてオペアンプ７ａおよび６本の抵抗７ｂ〜７ｇを用いて上記のように構成したＶ／Ｉ変換部７で両端間電圧Ｖ２を電流ＩＬ１に変換させることにより、出力抵抗である抵抗７ｇの精度に影響を受けることなく、両端間電圧Ｖ２の電圧値に電流値が比例する電流ＩＬ１を生成して対数増幅回路８に出力することができるため、対数増幅回路８から出力されるメータ指示用電圧ＶＭの精度を向上させることができる。
【００２９】
なお、本発明は、上記した発明の実施の形態に限定されず、適宜変更が可能である。例えば、上述した実施の形態では、電圧電流変換部として、オペアンプ７ａおよび６本の抵抗７ｂ〜７ｇを用いて上記のように構成されたＶ／Ｉ変換部７を用いているが、Ｖ／Ｉ変換部４のような簡易な構成の電圧電流変換部を用いることもできる。また、増幅部の一例として対数増幅回路８を用いる例について説明したが、対数増幅回路８以外の増幅回路を採用することもできる。
【図面の簡単な説明】
【００３０】
【図１】絶縁抵抗計１の回路図である。
【図２】絶縁抵抗計５１の回路図である。
【符号の説明】
【００３１】
１  絶縁抵抗計
２  電圧生成部
３  電圧分圧部
４，７  Ｖ／Ｉ変換部
５  電流検出抵抗
６  フィルタ部
８  対数増幅回路
９  メータ
１０  測定対象体
ＩＬ１  負荷電流
ＩＲ  基準電流
Ｖ１  直流電圧
Ｖ２  両端間電圧
Ｖｄ  検出電圧
ＶＭ  メータ指示用電圧
Ｒｘ  抵抗値（絶縁抵抗）
【図１】
0005057950.tif 000002
【図２】
0005057950.tif 000003